(57)【要約】【課題】情報媒体の取替えを容易に行うことができる消音プレート及び該消音プレートを備える玉箱を提供する。【解決手段】パチンコ玉を収容する玉箱本体の底部内面に装着することができ、情報が表記された宣伝用シートを取替え可能に保持する消音プレート１において、板部１１の上面１１ａの側の周縁部１２に複数の係合爪１６，１６…を設けてなり、係合爪１６，１６…に透明シートを係合して、板部１１及び透明シートの間に宣伝用シートを介装保持するようにしてある。係合爪１６，１６…との係合を解除して透明シート３を消音プレート１から取り外し、宣伝用シート２取替後、再度透明シートを係合爪１６，１６…に係合させるという簡単な動作により、容易に宣伝用シートを取替えることができる。【選択図】図１
2009112771.tif 000002
【特許請求の範囲】
【請求項１】
パチンコ玉を収容する玉箱本体の底部内面に装着することができ、情報が表記された情報媒体を取替え可能に保持する消音プレートにおいて、板部の一面の側の周縁部に複数の係合部を設けてなり、該係合部に透明シートを係合して、前記板部及び透明シートの間に前記情報媒体を介装保持するようにしてあることを特徴とする消音プレート。
【請求項２】
前記係合部は、前記板部の一面に離隔して対向してなる係合爪であることを特徴とする請求項１記載の消音プレート。
【請求項３】
前記板部の一面の側に該板部の周縁から略直交する方向に延びる周壁部を有しており、前記係合爪は、前記周壁部から前記一面に平行をなして該一面に対向する方向に突出させてなることを特徴とする請求項２記載の消音プレート。
【請求項４】
前記係合部は、前記板部の周縁に沿って設けられたスリットであることを特徴とする請求項１に記載の消音プレート。
【請求項５】
前記板部には、前記パチンコ玉の直径よりも大きい短径を有する略楕円形状の孔が設けてあり、該孔は、長径方向の一側が前記板部の一隅の側に、他側が前記板部の中央の側になるように形成してあることを特徴とする請求項１から４の何れか一つに記載の消音プレート。
【請求項６】
前記板部は矩形状を有しており、該板部には２つの前記孔が対角線上に位置するように形成してあることを特徴とする請求項５記載の消音プレート。
【請求項７】
前記孔の周縁から略直交する方向に延びる楕円筒状をなすガイド筒を前記板部の他面の側に有しており、前記ガイド筒の一部の内面を前記一面の側が広がる傾斜面にしてあることを特徴とする請求項５又は請求項６記載の消音プレート。
【請求項８】
上面が開口された筐体形状を有し、底部に接地用の貫通孔が形成された玉箱本体と、該玉箱本体の底部内面に装着される消音プレートとを備える玉箱において、前記消音プレートは請求項１から７の何れか１項に記載の消音プレートであり、該消音プレートの係合部に係合する透明シートを備えることを特徴とする玉箱。
【請求項９】
上面が開口された筐体形状を有し、底部に接地用の貫通孔が形成された玉箱本体と、該玉箱本体の底部内面に装着される消音プレートとを備える玉箱において、前記消音プレートは請求項４に記載の消音プレートであり、該消音プレートのスリットに係合する係合爪を有する透明シートを備えることを特徴とする玉箱。
【請求項１０】
上面が開口された筐体形状を有し、底部に接地用の２つの貫通孔が形成された玉箱本体と、該玉箱本体の底部内面に装着される消音プレートとを備える玉箱において、前記玉箱本体の貫通孔は、前記パチンコ玉の直径よりも小さく、該パチンコ玉の一部が前記玉箱本体の底辺より突出することが可能な直径を有しており、前記消音プレートは、前記玉箱本体の貫通孔に対応する位置に前記孔が形成された請求項６に記載の消音プレートであり、前記消音プレートの係合部に係合する透明シートを備えることを特徴とする玉箱。
【発明の詳細な説明】
【技術分野】
【０００１】
本発明は、パチンコ玉を入出することが可能な開口部を有する玉箱本体に装着される消音プレート及び該消音プレートを備える玉箱に関する。
【背景技術】
【０００２】
パチンコ店においては、一般に、パチンコ玉を投入及び取出しすることができるように上面が開口された筐体形状の玉箱が、パチンコ玉の収容及び運搬のために遊技客及び店員により用いられている。
【０００３】
遊技客は、この玉箱を用いて、所謂大当たりによりパチンコ機の開口部から多量に出球されるパチンコ玉を収容すると共に、溜めたパチンコ玉を景品と交換すべく景品交換用カウンタに運搬する。なお、遊技中、玉箱はパチンコ機の台又は遊技者の傍らの床上に据え置かれている。
【０００４】
一方、店員は、例えば、パチンコ機の管理上の必要から多量のパチンコ玉を運搬する場合に、玉箱を用いる。また、店員は、遊技客が景品交換用カウンタに運搬してきた玉箱の中に収容されているパチンコ玉の数を数える作業を行う。
【０００５】
このような玉箱本体の底部内面には、一般に、パチンコ機より勢いよく出球したパチンコ玉が玉箱内に落下するときに発生する大きな音を抑制すべく、軟質材料製の消音プレートが装着してある。そして近年、この消音プレートを、広告、宣伝等の情報が表記された宣伝用シート等の情報媒体を保持する保持体として用いることが提案されている（例えば、特許文献１参照）。
【０００６】
特許文献１に開示された玉箱は、上面が開放されてパチンコ玉を入出可能な開口を有すると共に底部の中央部が盛り上がるように上げ底になっており、前記底部の上げ底の部分に設けた係止孔に、消音プレートとして用いる軟質プラスチックシートの一方の面に設けた係止爪を係合させることにより、軟質プラスチックシートが取り外し可能に敷設又は固着されるようにしてある。
【０００７】
特許文献１に用いられている軟質プラスチックシートは、例えば、透明な軟質プラスチックシートの裏側にもう１枚の軟質プラスチックシートを重ね合せ、一辺にて接合して一体化してあり、両シート間に宣伝的表記を印した宣伝用シートを挟み、上側の透明の軟質プラスチックシートの曲げ代を下側の軟質プラスチックシートの裏側に折り込み、この状態にて玉箱本体の底部に取付けることにより宣伝用シートを保持するようにしてある。この構成により、透明な軟質プラスチックシートの裏側に宣伝用シートを取替え可能に装填することができる。
【０００８】
また、玉箱本体の底部及び軟質プラスチックシートには、接地用の貫通孔が夫々設けてあり、静電気を帯びたパチンコ玉が前記貫通孔に嵌り込み、玉箱が据え置かれているパチンコ機の台又は床に接触することにより、接地されるようにしてある。これにより遊技客及び店員に、静電気による不快感を与えずにすむ。
【特許文献１】特開２００５−１３３３０号公報
【発明の開示】
【発明が解決しようとする課題】
【０００９】
ところが、特許文献１においては、前述の如く、軟質プラスチックシートにより宣伝用シートを包み込み、玉箱本体の底部に取付けることにより宣伝用シートを保持しているから、新たな宣伝用シートに取替える場合、軟質プラスチックシートを玉箱本体から取り外す必要があり、また軟質プラスチックシートを玉箱本体に取付けるまで宣伝用シートが軟質プラスチックシートから脱落する虞があるため、宣伝用シートの取替作業を丁寧に行う必要があった。
【００１０】
さらに、パチンコ玉の一部を玉箱の外部に突出させて接地することができるように玉箱本体の底部及び軟質プラスチックシートに形成された接地用の貫通孔は、夫々略円錐台形状及び円柱形状を有しているから、これらの貫通孔に嵌っているパチンコ玉を取り出しにくいという問題があった。
【００１１】
本発明は斯かる事情に鑑みてなされたものであり、主たる目的は、消音プレートの板部の一面の側の周縁部に設けた係合部に透明シートを係合し、板部及び透明シート間に情報媒体を介装保持することにより、情報媒体の取替えを容易に行うことができる消音プレートを提供することにある。
【００１２】
また他の目的は、係合部として板部の一面に離隔して対向するように係合爪を設けることにより、情報媒体の取替えを容易に行うことができる消音プレートを提供することにある。
【００１３】
また他の目的は、板部の一面の側に板部の周縁から略直交する方向に延びる周壁部を有しており、前記周壁部から前記一面に平行をなして該一面に対向する方向に突出させて係合爪を形成することにより、簡易な構成にて情報媒体の取替えを容易に行うことができる消音プレートを提供することにある。
【００１４】
また他の目的は、係合部として板部の周縁に沿ってスリットを設けており、透明シートをスリットに合わせて適切に形成することにより、透明シートをスリットに容易に係合することができ、情報媒体の取替えを容易に行うことができる消音プレートを提供することにある。
【００１５】
また他の目的は、パチンコ玉の直径よりも大きい短径を有する略楕円形状の孔を、該孔の長径方向の一側が板部の一隅の側に、他側が板部の中央の側になるように板部に設けており、玉箱本体に消音プレートを装着したときに玉箱本体に形成された接地用の貫通孔に対応する位置に前記孔を適切に形成することにより、玉箱本体の貫通孔に嵌っているパチンコ玉を容易に取り出すことができる消音プレートを提供することにある。
【００１６】
また他の目的は、矩形状を有する板部に２つの前記孔を対角線上に位置するように形成しており、玉箱本体に形成された接地用の貫通孔に対応する位置に前記孔を適切に形成することにより、玉箱にパチンコ玉が投入されたときにより確実に接地することができると共に、玉箱本体の貫通孔に嵌っているパチンコ玉を容易に取り出すことができる消音プレートを提供することにある。
【００１７】
また他の目的は、孔の周端から延びる楕円筒状をなすガイド筒の一部の内面を前記一面の側が広がる傾斜面にすることにより、玉箱本体の貫通孔に嵌っているパチンコ玉を傾斜面に沿って転動させて容易に取り出すことができる消音プレートを提供することにある。
【００１８】
また他の目的は、接地用の貫通孔が形成された玉箱本体と、該玉箱本体の底部内面に装着される消音プレートとを備える玉箱において、消音プレートの形状を適切に設定することにより、情報媒体の取替えを容易に行うことができると共に、玉箱本体の接地用の貫通孔に嵌っているパチンコ玉を容易に取り出すことができる玉箱を提供することにある。
【００１９】
また他の目的は、接地用の貫通孔が形成された玉箱本体と、該玉箱本体の底部内面に装着される消音プレートとを備える玉箱において、消音プレートのスリットに係合する係合爪を透明シートに設けることにより、情報媒体の取替えを容易に行うことができると共に、玉箱本体からパチンコ玉を取り出すときに遊技客及び店員に不快感を与えずにすむ玉箱を提供することにある。
【００２０】
また他の目的は、接地用の貫通孔が形成された玉箱本体と、該玉箱本体の底部内面に装着される消音プレートとを備える玉箱において、消音プレートの形状を適切に設定することにより、玉箱にパチンコ玉が投入されたときに、より確実に接地することができると共に、玉箱本体の接地用の貫通孔に嵌っているパチンコ玉を容易に取り出すことができる玉箱を提供することにある。
【課題を解決するための手段】
【００２１】
本発明に係る消音プレートは、パチンコ玉を収容する玉箱本体の底部内面に装着することができ、情報が表記された情報媒体を取替え可能に保持する消音プレートにおいて、板部の一面の側の周縁部に複数の係合部を設けてなり、該係合部に透明シートを係合して、前記板部及び透明シートの間に前記情報媒体を介装保持するようにしてあることを特徴とする。
【００２２】
この発明にあっては、消音プレートの板部の一面の側の周縁部に複数の係合部を設け、該係合部に透明シートを係合させて、前記板部及び透明シート間に情報媒体を介装して保持することができるように消音プレートを構成してあり、係合部との係合を解除して透明シートを消音プレートから取り外し、情報媒体を取替後、再度透明シートを係合部に係合させることにより、新たな情報媒体を消音プレートの板部及び透明シート間に介装保持するようにしてある。透明シートの消音プレートの係合部との係合及び係合解除という簡単な動作により容易に情報媒体の取替えを行うことができる。
【００２３】
本発明に係る消音プレートは、前記係合部は、前記板部の一面に離隔して対向してなる係合爪であることを特徴とする。
【００２４】
この発明にあっては、板部の一面の側の周縁部に該一面に離隔して対向する複数の係合爪を設けており、透明シートの消音プレートの係合爪との係合及び係合解除という簡単な動作により容易に情報媒体の取替えを行うことができる。
【００２５】
また、本発明に係る消音プレートは、前記板部の一面の側に該板部の周縁から略直交する方向に延びる周壁部を有しており、前記係合爪は、前記周壁部から前記一面に平行をなして該一面に対向する方向に突出させてなることを特徴とする。
【００２６】
この発明にあっては、板部の一面の側に板部の周縁から略直交する方向に延びる周壁部を設け、該周壁部から前記一面に平行をなして該一面に対向する方向に突出させて係合爪を形成しており、透明シートの消音プレートの係合爪との係合及び係合解除という簡単な動作により容易に情報媒体の取替えを行うことができる。また板部の一面の側に設けられた周壁部により透明シートを確実に保持することができる。
【００２７】
また、本発明に係る消音プレートは、前記係合部は、前記板部の周縁に沿って設けられたスリットであることを特徴とする。
【００２８】
この発明にあっては、係合部として板部の周縁に沿ってスリットを設けており、透明シートをスリットに合わせて適切に形成することにより、透明シートの消音プレートのスリットとの係合及び係合解除という簡単な動作により容易に情報媒体の取替えを行うことができる。
【００２９】
また、本発明に係る消音プレートは、前記板部には、前記パチンコ玉の直径よりも大きい短径を有する略楕円形状の孔が設けてあり、該孔は、長径方向の一側が前記板部の一隅の側に、他側が前記板部の中央の側になるように形成してあることを特徴とする。
【００３０】
この発明にあっては、パチンコ玉の直径よりも大きい短径を有する略楕円形状の孔を、該孔の長径方向の一側が板部の一隅の側に、他側が板部の中央の側になるように板部に設けており、玉箱本体に消音プレートを装着したときに玉箱本体に形成された接地用の貫通孔に対応する位置に前記孔を適切に形成することにより、玉箱にパチンコ玉が投入された後、パチンコ玉を玉箱から取り出すときに、玉箱本体の接地用の貫通孔に嵌ったパチンコ玉を消音プレートに設けた孔の長径方向に転動させることにより、容易に取り出すことができる。
【００３１】
また、本発明に係る消音プレートは、前記板部は矩形状を有しており、該板部には２つの前記孔が対角線上に位置するように形成してあることを特徴とする。
【００３２】
この発明にあっては、矩形状を有する板部に２つの前記孔を対角線上に位置するように形成しており、玉箱本体に形成された接地用の貫通孔に対応する位置に前記孔を適切に形成することにより、玉箱本体の貫通孔に嵌っているパチンコ玉を容易に取り出すことができると共に、玉箱にパチンコ玉が投入されたときにパチンコ玉が少なくとも一方の前記孔及び貫通孔に嵌り、玉箱が据え置かれているパチンコ機の台又は床に接触するから、より確実に接地をすることができる。
【００３３】
また、本発明に係る消音プレートは、前記孔の周縁から略直交する方向に延びる楕円筒状をなすガイド筒を前記板部の他面の側に有しており、前記ガイド筒の一部の内面を前記一面の側が広がる傾斜面にしてあることを特徴とする。
【００３４】
この発明にあっては、板部の孔の周端縁から延びる楕円筒状をなすガイド筒の一部の内面を前記一面の側に広がる傾斜面に形成しており、玉箱にパチンコ玉が投入された後、パチンコ玉を玉箱から取り出すときに、玉箱本体の接地用の貫通孔に嵌ったパチンコ玉を消音プレートに設けたガイド筒の傾斜面に沿って転動させることにより、さらに容易に取り出すことができる。
【００３５】
また、本発明に係る玉箱は、上面が開口された筐体形状を有し、底部に接地用の貫通孔が形成された玉箱本体と、該玉箱本体の底部内面に装着される消音プレートとを備える玉箱において、前記消音プレートは前述の発明に記載の消音プレートであり、該消音プレートの係合部に係合する透明シートを備えることを特徴とする。
【００３６】
この発明にあっては、接地用の貫通孔が形成された玉箱本体と、該玉箱本体の底部内面に装着される消音プレートとを備える玉箱において、前述の発明に記載の消音プレートを用いているから、透明シートの消音プレートの係合部との係合及び係合解除という簡単な動作により情報媒体の取替えを容易に行うことができると共に、消音プレートの形状を適切に設定することにより、玉箱本体の貫通孔に嵌っているパチンコ玉を容易に取り出すことができる。
【００３７】
また、本発明に係る玉箱は、上面が開口された筐体形状を有し、底部に接地用の貫通孔が形成された玉箱本体と、該玉箱本体の底部内面に装着される消音プレートとを備える玉箱において、前記消音プレートは前述の発明に記載の消音プレートであり、該消音プレートのスリットに係合する係合爪を有する透明シートを備えることを特徴とする。
【００３８】
この発明にあっては、接地用の貫通孔が形成された玉箱本体と、該玉箱本体の底部内面に装着される消音プレートとを備える玉箱において、板部の周縁に沿ってスリットが設けられた消音プレートを用いて、該消音プレートのスリットに係合する係合爪を透明シートに設けているから、透明シートの消音プレートのスリットとの係合及び係合解除という簡単な動作により情報媒体の取替えを容易に行うことができる。また、消音プレートの一面の側に透明シートを消音プレートに係合させるための係合爪等の突設部を設ける必要がないから、玉箱本体からパチンコ玉を取り出すときに遊技客及び店員の指が引っ掛かることなく、遊技客及び店員に不快感を与えずにすむ。
【００３９】
また、本発明に係る玉箱は、上面が開口された筐体形状を有し、底部に接地用の２つの貫通孔が形成された玉箱本体と、該玉箱本体の底部内面に装着される消音プレートとを備える玉箱において、前記玉箱本体の貫通孔は、前記パチンコ玉の直径よりも小さく、該パチンコ玉の一部が前記玉箱本体の底辺より突出することが可能な直径を有しており、前記消音プレートは、前記玉箱本体の貫通孔に対応する位置に前記孔が形成された前述の発明に記載の消音プレートであり、前記消音プレートの係合部に係合する透明シートを備えることを特徴とする。
【００４０】
この発明にあっては、接地用の貫通孔が形成された玉箱本体と、該玉箱本体の底部内面に装着される消音プレートとを備える玉箱において、消音プレートの形状を適切に設定することにより、玉箱本体の貫通孔に嵌っているパチンコ玉を容易に取り出すことができる。また、消音プレートの板部に２つの前記孔が対角線上に位置するように設けてあり、玉箱にパチンコ玉が投入されたときにパチンコ玉が少なくとも一方の前記孔及び貫通孔に嵌り、玉箱が据え置かれているパチンコ機の台又は床に接触するから、より確実に接地をすることができる。
【発明の効果】
【００４１】
本発明によれば、消音プレートの板部の周縁部に複数の係合部を設け、該係合部に透明シートを係合させて、前記板部及び透明シート間に情報媒体を介装して保持することができるように消音プレートを構成しているから、透明シートの消音プレートの係合部との係合及び係合解除という簡単な動作により容易に情報媒体の取替えを行うことができる。
【００４２】
また、本発明によれば、板部の一面の側の周縁部に該一面に離隔して対向する複数の係合部を設けているから、透明シートの消音プレートの係合部との係合及び係合解除という簡単な動作により容易に情報媒体の取替えを行うことができる。
【００４３】
また、本発明によれば、消音プレートの板部の一面の側に板部の周縁から略直交する方向に延びる周壁部を設け、該周壁部から前記一面に平行をなして該一面に対向する方向に突出させて係合爪を形成しているから、透明シートの消音プレートの係合爪との係合及び係合解除という簡単な動作により容易に情報媒体の取替えを行うことができると共に、一面の側に設けられた周壁部により透明シートを確実に保持することができる。
【００４４】
また、本発明によれば、板部の周縁に沿ってスリットを設けているから、透明シートをスリットに合わせて適切に形成することにより、透明シートの消音プレートのスリットとの係合及び係合解除という簡単な動作により容易に情報媒体の取替えを行うことができる。
【００４５】
また、本発明によれば、玉箱本体の接地用の貫通孔に対応させて消音プレートの板部に略楕円形状の孔を適切に設けることにより、玉箱本体の接地用の貫通孔に嵌ったパチンコ玉を消音プレートに設けた孔の長径方向に転動させることにより、容易に取り出すことができる。
【００４６】
また、本発明によれば、矩形状を有する板部に２つの前記孔を対角線上に位置するように形成することにより、玉箱本体の貫通孔に嵌っているパチンコ玉を容易に取り出すことができると共に、玉箱にパチンコ玉が投入されたときにパチンコ玉が少なくとも一方の前記孔及び貫通孔に嵌り、玉箱が据え置かれているパチンコ機の台又は床に接触するから、より確実に接地をすることができる。
【００４７】
また、本発明によれば、板部の孔の周端縁から延びる楕円筒状をなすガイド筒の一部の内面を前記一面の側に広がる傾斜面に形成しているから、玉箱本体の接地用の貫通孔に嵌ったパチンコ玉を消音プレートに設けたガイド筒の傾斜面に沿って転動させることにより、さらに容易に取り出すことができる。
【００４８】
また、本発明によれば、玉箱本体の底部内面に前記消音プレートを装着しているから情報媒体の取替えを容易に行うことができると共に、消音プレートの形状を適切に設定することにより、玉箱本体の貫通孔に嵌っているパチンコ玉を容易に取り出すことができる。
【００４９】
また、本発明によれば、消音プレートのスリットに係合する係合爪を透明シートに設けているから、情報媒体の取替えを容易に行うことができると共に、消音プレートの一面の側に係合爪等の突設部を設ける必要がないから玉箱本体からパチンコ玉を取り出すときに遊技客及び店員の指が引っ掛かることなく、遊技客及び店員に不快感を与えずにすむ。
【００５０】
また、本発明によれば、消音プレートの形状を適切に設定することにより、玉箱本体の貫通孔に嵌っているパチンコ玉を容易に取り出すことができると共に、玉箱にパチンコ玉が投入されたときにパチンコ玉が少なくとも一方の前記孔及び貫通孔に嵌り、玉箱が据え置かれているパチンコ機の台又は床に接触するから、より確実に接地をすることができる。
【発明を実施するための最良の形態】
【００５１】
以下、本発明をその実施の形態を示す図面に基づいて詳述する。
（実施の形態１）
図１は、本発明の実施の形態１に係る消音プレート１の外観斜視図である。図２は、消音プレート１の平面図を、図３は、消音プレート１の右側面図を夫々示している。
【００５２】
略平板形状の消音プレート１は、図に示すように、矩形をなす板部１１と、該板部１１の周端から板部１１に直交する方向に上下に延び、板部１１を全周に亘って縁取る周壁部１２とを備えている。消音プレート１は、軟質材料製であり、例えば、軟質ポリエチレン樹脂である。消音プレート１は、後述する玉箱本体の底部と略同一寸法を有している。
【００５３】
板部１１は、上面（一面）１１ａの側が平面に形成してあり、板部１１には、対角線上にある二隅に略楕円形をなす貫通孔１３，１３が、貫通孔１３，１３の長径方向の一側が板部１１の一隅の側に、他側が板部１１の中央の側になるように夫々形成してある。図４は、板部１１の下面（他面）１１ｂの側から見た消音プレート１の部分斜視図である。
【００５４】
図４に示すように、板部１１の下面１１ｂの側には、貫通孔１３，１３の周端から板部１１に略直交する方向に延設され、後述する玉箱本体の接地用の貫通孔にパチンコ玉をガイドする楕円筒状をなすガイド筒１４，１４が夫々設けてある。ガイド筒１４，１４の端面は、周壁部１２の下端面と略面一にしてある。ガイド筒１４，１４の長径方向の板部１１の中央の側の内周面は、上側が広がる傾斜面１４ａ，１４ａにしてある。
【００５５】
また、板部１１の下面１１ｂの側には、適長離隔した位置から板部１１に直交する方向に延び、弾性変形可能な２つの支持片１５ａ，１５ａと、該支持片１５ａ，１５ａ夫々の延設端に互いに離反する向きに突出形成された係止爪１５ｂ，１５ｂとを備えてなる複数（図において４つ）の係止部１５，１５…が、板部１１の長辺に沿って適長離隔した２箇所に夫々設けてある。
【００５６】
一方、周壁部１２の板部１１の上面１１ａの側の端部には、上面１１ａに平行をなして上面１１ａに対向する方向に突出させてなる矩形平板状の複数（図において８つ）の係合爪１６，１６…が、略等配をなして、長辺側に３つ、短辺側に１つ夫々設けてある。
【００５７】
図５は、消音プレート１に情報媒体が介装保持される前の状態を示す図であり、図６は、消音プレート１に情報媒体が介装保持された状態を示す図である。
【００５８】
消音プレート１の上面１１ａの側には、図に示す如く、パチンコ店の広告又はサービス内容の告知等の情報が一面に表記された情報媒体である宣伝用シート２が、表記側を上側にして配置される。なお宣伝用シート２は、消音プレート１の上面１１ａより小さい略矩形をなす紙製であり、適宜取替えられる。
【００５９】
さらに消音プレート１の上面１１ａの側には、該上面１１ａと略同一寸法の略矩形をなす透明シート３が装着される。透明シート３には、図５に示すように、板部１１に形成された貫通孔１３，１３に対応して、貫通孔１３，１３より若干大きい略楕円形状に切り欠かれた切欠き部３ａ，３ａが対角線上にある二隅に形成してある。透明シート３は、該切欠き部３ａ，３ａが消音プレート１の貫通孔１３，１３に対応する位置になるように向きを合わせて、少し撓めた状態にて、消音プレート１の係合爪１６，１６…と上面１１ａとの間に透明シート３の周縁部を差し込み、係合爪１６，１６…に前記周縁部を引掛けて係合させることにより図６に示す如く消音プレート１に装着される。なお透明シート３は、薄い透明な樹脂製であり、例えば、ポリエチレンテレフタレート樹脂製である。
【００６０】
以上の構成により透明シート３は、消音プレート１の上面１１ａに係合爪１６，１６…により上面１１ａに直交する方向に脱落しないように、また周壁部１２により上面１１ａと平行をなす方向への相対移動を抑制した状態にて保持される。消音プレート１の上面１１ａに配置された宣伝用シート２は、このように保持された透明シート３と消音プレート１の上面１１ａとの間に脱落しないように介装保持されることとなる。
【００６１】
このような本実施の形態に係る消音プレート１は、パチンコ玉を入出することが可能な開口部を有する玉箱本体４に装着される。図７は、消音プレート１の玉箱本体４への装着説明図である。
【００６２】
玉箱本体４は、図７に示すように、上面が全面開口された筐体形状を有しており、略矩形をなす底部４１と該底部４１の周縁から略直交する方向に上下方向に延設された周壁部４２とを備えてなる。
【００６３】
玉箱本体４の底部４１には、図７（ａ）に示すように、対角線上の二隅に接地用の貫通孔４３，４３が夫々形成してある。底部４１の下面の側には、貫通孔４３，４３の周縁から底部４１に略直交する方向に延び、先端に向けて縮径されたガイド筒４４，４４が夫々延設してある。ガイド筒４４，４４の最小孔径は、玉箱本体４に収容されるパチンコ玉の直径より若干小さくなるように形成してある。なお、前述した消音プレート１に設けられたガイド筒１４，１４の内周面は、消音プレート１が玉箱本体４に装着されたときに、ガイド筒４４，４４の内周面と連続するように形成してあることが望ましい。
【００６４】
このように形成された玉箱本体４においては、ガイド筒４４，４４に嵌ったパチンコ玉の一部が、玉箱本体４の下面から突出し、玉箱が据え置かれているパチンコ機の台又は床に接触することになり、接地がなされる。対角線上の２隅に接地用の貫通孔４３，４３を設けているから、玉箱にパチンコ玉が投入されたときにパチンコ玉が少なくとも一方の貫通孔４３，４３に嵌り、玉箱が据え置かれているパチンコ機の台又は床に接触するから、より確実な接地をすることができる。
【００６５】
また、底部４１には、細長い矩形状の複数（図において４つ）の係止孔４５，４５が、底部４１の長辺に沿って適長離隔した２箇所に底部４１の短辺と平行をなして夫々形成してある。なお、前述した消音プレート１の係止爪１５ｂ，１５ｂは、消音プレート１が玉箱本体４に装着されたときに、係止孔４５，４５に係合することができるように、適切に形成してある。
【００６６】
このような玉箱本体４には、玉箱本体４の貫通孔４３，４３に対応する位置に貫通孔１３，１３が位置するように向きを合わせた消音プレート１が、玉箱本体４の開口の側から底部４１に押し込まれ、係止部１５，１５…の係止爪１５ｂ，１５ｂが係止孔４５，４５に係合されることにより、図７（ｂ）に示すように装着される。なお、係止爪１５ｂ，１５ｂを有する係止部１５，１５…は、係止爪１５ｂ，１５ｂが係止孔４５，４５を通過するときに、係止孔４５，４５から係止爪１５ｂ，１５ｂが受ける力により支持片１５ａ，１５ａが互いに近接する方向に弾性変形し、係止爪１５ｂ，１５ｂが係止孔４５，４５を通過したのちに復元力により支持片１５ａ，１５ａが平行をなす位置に復帰するようにしてある。これにより、係止爪１５ｂ，１５ｂが係止孔４５，４５の周縁部に引掛かることになり、消音プレート１が玉箱本体４に脱落しないように装着される。なお、図７においては、説明の便宜のため、宣伝用シート２及び透明シート３の記載を省略している。
【００６７】
以上のように構成された本実施の形態に係る消音プレート１においては、消音プレート１の上面１１ａの側に形成された複数の係合爪１６，１６…に透明シート３を引掛けて係合することにより、消音プレート１及び透明シート３間に宣伝用シート２を介装保持しており、係合爪１６，１６…との係合を解除して透明シート３を消音プレート１から取り外し、宣伝用シート２を取替後、再度透明シート３を係合爪１６，１６…に係合させるという簡単な動作により、容易に宣伝用シート２を取替えることができる。
【００６８】
また、透明シート３が、係合爪１６，１６…により上面１１ａに直交する方向に脱落しないように、また周壁部１２により上面１１ａと平行をなす方向への相対移動を抑制した状態にて保持されるから、透明シート３と消音プレート１の上面１１ａとの間に宣伝用シート２を脱落しないように確実に保持することができる。
【００６９】
また、パチンコ機より勢いよく出球するパチンコ玉が衝突する透明シート３のみが汚損又は毀損したときに、透明シート３のみを簡単に取替えることができる。
【００７０】
さらに、玉箱本体４に形成された貫通孔４３，４３及びガイド筒４４，４４の形状に応じて、消音プレート１に貫通孔１３，１３及びガイド筒１４，１４が形成してあり、玉箱本体４にパチンコ玉が投入された後、パチンコ玉を玉箱本体４から取り出すときに、玉箱本体４の接地用の貫通孔４３，４３に嵌ったパチンコ玉を消音プレート１に設けたガイド筒１４，１４の傾斜面１４ａ，１４ａに沿って貫通孔１３，１３の長軸方向に転動させることにより、容易に取り出すことができる。
【００７１】
なお、本実施の形態においては、矩形平板状の８つの係合爪１６，１６…を消音プレート１に設けているが、係合爪１６，１６…の形状及び数はこれに限定されず、透明シート３を保持することができればよい。
【００７２】
（実施の形態２）
図８は、実施の形態２に係る消音プレート１ａの平面図を、図９は、消音プレート１ａの右側面図を夫々示している。
【００７３】
略平板形状の消音プレート１ａは、図に示すように、矩形をなす板部１１と、該板部１１の周端から板部１１に直交する方向に上下に延び、板部１１を全周に亘って縁取る周壁部１７とを備えている。
【００７４】
板部１１には、該板部１１の周縁に沿って複数（図において８つ）のスリット１１ｃ，１１ｃ…が、長辺側及び短辺側に夫々２つ設けてある。また、板部１１の上面１１ａには、扁平な円柱状の複数（図において４つ）の突起１１ｄ，１１ｄ…が板部１１の長辺に沿って適長離隔して設けてある。
【００７５】
周壁部１７の上面１７ａは、図９に示すように、板部１１の上面１１ａより僅かに突設させてあり、外側から内側に向けて下向きに傾斜させてある。周壁部１７の下面の側の周縁部には、図８に示す如く、板部１１のスリット１１ｃ，１１ｃ…と同一位置に、切欠き部１７ｂ，１７ｂ…が夫々設けてある。周壁部１７は切欠き部１７ｂ，１７ｂ…により部分的に薄肉になっており、周壁部１７の薄肉部の下面１７ｂは、板部１１の上面１１ａと適長離隔して平行をなすように形成してある。その他の構成は、図２及び図３に示す実施の形態１と同様であるため、対応する構成部材に図２及び図３と同一の参照符号を付して、その構成の詳細な説明を省略する。
【００７６】
図１０は、消音プレート１ａに情報媒体が介装保持される前の状態を示す図である。消音プレート１ａの上面１１ａの側には、図に示す如く、パチンコ店の広告又はサービス内容の告知等の情報が一面に表記された情報媒体である宣伝用シート２が、表記側を上側にして配置される。なお宣伝用シート２は、消音プレート１ａの上面１１ａより小さい略矩形をなす紙製であり、適宜取替えられる。
【００７７】
さらに消音プレート１ａの上面１１ａの側には、該上面１１ａと略同一寸法の略矩形をなす透明シート５が装着される。透明シート５には、図１０に示すように、板部１１に形成された貫通孔１３，１３に対応して、貫通孔１３，１３より若干大きい略楕円形状に切り欠かれた切欠き部５ａ，５ａが対角線上にある二隅に形成してある。また、透明シート５の周縁には、板部１１に設けられたスリット１１ｃ，１１ｃ…の間隔と同一の間隔にて、係合爪５ｂ，５ｂ…が複数（図において６つ）延設してある。
【００７８】
この透明シート５は、切欠き部５ａ，５ａが消音プレート１ａの貫通孔１３，１３に対応する位置になるように向きを合わせて、少し撓めた状態にて、透明シート５の係合爪５ｂ，５ｂ…を板部１１のスリット１１ｃ，１１ｃ…に夫々差し込み、スリット１１ｃ，１１ｃ…に係合爪５ｂ，５ｂ…を係合させることにより図９に二点鎖線にて示す如く、消音プレート１ａに装着される。
【００７９】
以上の構成により、透明シート５は、消音部レート１ａの上面１１ａ及び周壁部１７の薄肉部の下面１７ｂ間に介装されることになり、上面１１ａに直交する方向に脱落しないように、また周壁部１７により上面１１ａと平行をなす方向への相対移動を抑制した状態にて消音プレート１ａの上面１１ａに保持される。消音プレート１ａの上面１１ａに配置された宣伝用シート２は、このように保持された透明シート５と消音プレート１ａの上面１１ａとの間に脱落しないように介装保持されることとなる。突起１１ｄ，１１ｄ…の内側に宣伝用シート２を位置させることにより、宣伝用シート２が上面１１ａと平行をなす方向への相対移動を抑制した状態にて消音プレート１ａの上面１１ａの略中央に保持されることになる。
【００８０】
この消音プレート１ａは、実施の形態１において詳述した玉箱本体４に装着される。玉箱本体４の構成及び玉箱本体４への消音プレート１ａの取付方法は実施の形態１と同様であるため、詳細な説明を省略する。
【００８１】
以上のように構成された本実施の形態に係る消音プレート１ａにおいては、消音プレート１ａの板部１１の周縁に沿って設けられたスリット１１ｃ，１１ｃ…に透明シート５の係合爪５ｂ，５ｂ…を差し込み係合することにより、消音プレート１ａ及び透明シート５間に宣伝シート２を介装保持することができ、スリット１１ｃ，１１ｃ…との係合を解除して透明シート５を消音プレート１ａから取り外して、宣伝用シート２を取替後、再度透明シート５の係合爪５ｂ，５ｂ…をスリット１１ｃ，１１ｃ…に係合させるという簡単な動作により、容易に宣伝用シート２を取替えることができる。
【００８２】
また、周壁部１７の上面１７ａを、板部１１の上面１１ａより僅かに突設させて、外側から内側に向けて下向きに傾斜させてあるから、周壁部１７と板部１１とが滑らかに連設されることになり、玉箱本体４からパチンコ玉を取り出すときに遊技客及び店員の指が引っ掛かることなく、遊技客及び店員に不快感を与えずにすむ。
【００８３】
なお、本実施の形態においては、消音プレート１ａに８つのスリット１１ｃ，１１ｃ…を、透明シート５に６つの係合爪５ｂ，５ｂ…を夫々設けているが、スリット１１ｃ，１１ｃ…及び係合爪５ｂ，５ｂ…の数はこれに限定されず、例えば、玉箱の寸法に応じて適宜選定される。
【００８４】
（実施の形態３）
図１１は、実施の形態３に係る消音プレート１ｂの平面図である。消音プレート１ｂは、実施の形態１及び２に係る消音プレートが装着される玉箱本体４よりも小さな寸法の玉箱本体に装着される消音プレートの一例である。
【００８５】
略平板形状の消音プレート１ｂは、図に示すように、矩形をなす板部１１と、該板部１１の周端から板部１１に直交する方向に上下に延び、板部１１を全周に亘って縁取る周壁部１７とを備えている。板部１１には、該板部１１の周縁に沿って複数（図において６つ）のスリット１１ｃ，１１ｃ…が、長辺側に１つ、短辺側に２つ夫々設けてある。
【００８６】
周壁部１７の上面１７ａは、実施の形態２に係る消音プレートと同様に、板部１１の上面１１ａより僅かに突設させてあり、外側から内側に向けて下向きに傾斜させてある。周壁部１７の下面の側の周縁部には、図１１に示す如く、板部１１のスリット１１ｃ，１１ｃ…と同一位置に、切欠き部１７ｂ，１７ｂ…が夫々設けてある。周壁部１７は切欠き部１７ｂ，１７ｂ…により部分的に薄肉になっており、周壁部１７の薄肉部の下面は、板部１１の上面１１ａと適長離隔して平行をなすように形成してある。なお、消音プレート１ｂには、該消音プレート１ｂが装着される玉箱本体の接地用の貫通孔及び係止孔の位置及び形状に合わせて、貫通孔１３，１３及び係止部１５，１５…の係止爪１５ｂ，１５ｂ…が夫々設けてある。その他の構成は、図２に示す実施の形態１と同様であるため、対応する構成部材に図２と同一の参照符号を付して、その構成の詳細な説明を省略する。
【００８７】
消音プレート１ｂには、実施の形態２に係る消音プレートと同様に、宣伝用シート２が配置され、係合爪を有する透明シートが装着される。そして、この消音プレート１ｂは、実施の形態１において詳述した玉箱本体４よりも小さい寸法の玉箱本体に装着される。玉箱本体の基本的な構成及び玉箱本体への消音プレート１ｂの取付方法は実施の形態１と同様であるため、詳細な説明を省略する。
【００８８】
本実施の形態に係る消音プレート１ｂにおいても、実施の形態２に係る消音プレート１ａと同様に、消音プレート１ｂの板部１１の周縁に沿って設けられたスリット１１ｃ，１１ｃ…に透明シートの係合爪を差し込み係合することにより、消音プレート１ｂ及び透明シート間に宣伝シートを介装保持することができ、スリット１１ｃ，１１ｃ…との係合を解除して透明シートを消音プレート１ｂから取り外して、宣伝用シートを取替後、再度透明シートの係合爪をスリット１１ｃ，１１ｃ…に係合させるという簡単な動作により、容易に宣伝用シートを取替えることができる。また、周壁部１７と板部１１との間が滑らかに連設されることになるから、玉箱本体４からパチンコ玉を取り出すときに遊技客及び店員の指が引っ掛かることなく、遊技客及び店員に不快感を与えずにすむ。
【００８９】
なお、以上の実施の形態においては、消音プレートとして、軟質ポリエチレン樹脂製を用いているが、これに限定されず、ゴム、発泡性の樹脂等、衝撃を吸収することが可能な材料製であればよい。
【００９０】
さらに、本発明は、特許請求の範囲に記載した事項の範囲内において種々変更した形態にて実施することが可能であることは言うまでもない。
【図面の簡単な説明】
【００９１】
【図１】本発明に係る消音プレートの外観斜視図である。
【図２】消音プレートの平面図である。
【図３】消音プレートの右側面図である。
【図４】板部の下面の側から見た消音プレートの部分斜視図である。
【図５】消音プレートに情報媒体が介装保持される前の状態を示す図である。
【図６】消音プレートに情報媒体が介装保持された状態を示す図である。
【図７】消音プレートの玉箱本体への装着説明図である。
【図８】実施の形態２に係る消音プレートの平面図である。
【図９】消音プレートの右側面図である。
【図１０】消音プレートに情報媒体が介装保持される前の状態を示す図である。
【図１１】実施の形態３に係る消音プレートの平面図である。
【符号の説明】
【００９２】
１，１ａ，１ｂ  消音プレート
１１  板部
１１ａ  上面（一面）
１１ｂ  下面（他面）
１１ｃ  スリット
１２  周壁部
１３  貫通孔（孔）
１４  ガイド筒
１６  係合爪
２  宣伝用シート（情報媒体）
３，５  透明シート
５ｂ  係合爪
４  玉箱本体
４１  底部
４３  貫通孔
【図１】
2009112771.tif 000003
【図２】
2009112771.tif 000004
【図３】
2009112771.tif 000005
【図４】
2009112771.tif 000006
【図５】
2009112771.tif 000007
【図６】
2009112771.tif 000008
【図７】
2009112771.tif 000009
【図８】
2009112771.tif 000010
【図９】
2009112771.tif 000011
【図１０】
2009112771.tif 000012
【図１１】
2009112771.tif 000013